(57)【要約】【課題】  多機能化に対しても画面上でのコマンド入力の利便性を踏襲し機能切換操作が確実かつ簡易に行い得るようにする。【解決手段】  タッチパネル型表示器３に入力した手書き符号に対して搭載機能が選択して割り当てられるコマンド情報を登録する記憶部５と、ユーザによってタッチパネル型表示器３から入力された手書き符号を認識して記憶部５に登録された符号との比較を行って対応するコマンド情報に割り当てられた所定の搭載機能の実行を指示する制御部４と、この制御部４における入力符号と登録コマンド情報との比較結果に基づいて選択された当該搭載機能をユーザに対して音声によって報知する音声出力部９とを備える。【選択図】  図２
2005062044.tif 000002
【特許請求の範囲】
【請求項１】
地図情報を表示する表示器が、画面上においてコマンド入力を可能とするタッチパネル型表示器からなるナビゲーション装置において、
上記タッチパネル型表示器に入力した手書き符号に対して搭載機能が選択されてそれぞれ割り当てられ、当該搭載機能を実行させるコマンド情報に対応して登録する記憶部と、
ユーザによって上記タッチパネル型表示器から入力された手書き符号を認識して上記記憶部に登録された登録符号との比較を行い、一致した登録符号を検出すると当該登録符号に割り当てられたコマンド情報に基づいて所定の搭載機能の実行を指示する制御部と、
上記制御部における入力符号と登録符号との比較結果に基づいて、選択された上記搭載機能をユーザに対して音声によって報知する音声出力部とを備え、
上記ユーザが上記音声報知を確認して上記タッチパネル型表示器から確認入力を行うことにより、当該搭載機能が実行されることを特徴とするナビゲーション装置。
【請求項２】
上記手書き符号が、一筆書き符号であることを特徴とする請求項１に記載のナビゲーション装置。
【請求項３】
上記記憶部に、上記コマンド情報として所定のユーザによる自他識別符号に基づく自他識別情報が登録され、
上記自他識別符号を認識することによって、所定機能の実行が可能とされることを特徴とする請求項１に記載のナビゲーション装置。
【請求項４】
上記記憶部に、複数のユーザがそれぞれに手書き符号に対して搭載機能を実行させる上記コマンド情報を割り当てて登録してなり、
上記自他識別符号が認識されることによって、各ユーザ毎に上記タッチパネル型表示器から入力された手書き符号に対応する上記登録符号が検出されて、所定機能の実行が個別に行われることを特徴とする請求項３に記載のナビゲーション装置。
【発明の詳細な説明】
【技術分野】
【０００１】
本発明は、自動車等に設置されて現在位置の地図を表示器に表示するナビゲーション装置に関し、さらに詳しくは画面上においてコマンド入力を可能とするタッチパネル型表示器が用いられたナビゲーション装置に関する。
【背景技術】
【０００２】
ナビゲーション装置は、一般にＧＰＳ（Global Positioning System）信号の受信部、各種の自立航行センサからなるセンサ部、ＧＰＳ信号やセンサ出力を処理する制御処理部、地図情報やガイド情報を記憶したハードディスクや光ディスク或いはメモリカード等の情報記憶部、或いは現在位置の地図等を表示するモニタ等を備えて構成される。ナビゲーション装置は、人工衛星から送信されるＧＰＳ信号を受信するとともに、制御処理部においてこのＧＰＳ信号と自立航行センサの出力とを計算して現在位置データを求め、この現在位置データに基づいて地図データやガイド情報を情報記憶部から取り出して液晶表示器等のモニタに表示するとともにスピーカから必要な音声ガイドが行われるようにする。
【０００３】
ナビゲーション装置は、例えば電源のオン・オフ操作、メニュー表示、現在地や目的地等の表示地図の選択、部分拡大表示、経路表示、周辺表示、２画面表示等の画面表示の切換操作或いは鳥瞰図表示、地図のスクロール操作、音量調整操作等の各種の操作が行われる。また、ナビゲーション装置は、例えばラジオ放送やテレビ放送の受信機能やオーディオ機能等も備えられ、各機能切換操作やチャンネル切換操作等も行われる。
【０００４】
ナビゲーション装置は、一般に装置本体に設けた操作部やリモートコントローラにより上述した各種の操作が行われる。ナビゲーション装置においては、かかる操作手段に加えて、或いは操作手段に代えていわゆるタッチパネル型表示器を用いることにより、表示画面から上述した各種の操作を行うように構成した装置も提供されている。（例えば、特許文献１乃至特許文献４参照）。
【０００５】
ナビゲーション装置は、かかるタッチパネル型表示器を用いることによって、例えば画面上に複数のアイコンを表示させるようにするとともに所定のアイコンが選択されてクリック操作が行われると所定の画面に切換えられる。したがって、ナビゲーション装置は、多機能化が図られた場合でも装置本体の操作部やリモートコントローラによる操作と比較して操作性の向上が図られるようになりる。ナビゲーション装置は、ユーザが運転しながらでもアイコンのクリック操作といった簡単な方法によって機能切換が行われることで、安全性の向上が図られるようになる。
【０００６】
【特許文献１】特開平１−２１３６８５号公報
【特許文献２】特開平５−２４１５０６号公報
【特許文献３】特開平１０−１９８２７１号公報
【特許文献４】特開２００２−８１９４２号公報
【発明の開示】
【発明が解決しようとする課題】
【０００７】
ところで、上述したタッチパネル型表示器を用いたナビゲーション装置においては、多機能化に合わせて画面上に多くのアイコンを表示するようにした場合に、地図の表示領域が狭くなって大型の地図表示や広域地図の表示が行い得なくなってしまうといった問題があった。ナビゲーション装置においては、アイコンを小さくして狭い領域に多くのアイコンを表示するようにした場合に、各アイコンがみずらくなって操作性が悪くなるとともに隣のアイコンを間違ってクリック操作してしまうといった問題が生じてしまう。
【０００８】
ナビゲーション装置においては、例えば搭載機能を階層的にグループ化し、代表階層で表示されたアイコンをクリック操作して画面切換が行われると、次階層のアイコン群が表示されるようにするといった対応も図られる。しかしながら、かかるナビゲーション装置においても、何段階にも画面の切換操作とアイコンのクリック操作とが必要となり、操作性が悪くなってしまうといった問題が生じる。ナビゲーション装置においては、搭載機能の階層的グループ化が、ユーザによっては頻繁に使用する機能であっても複数回の画面切換操作を行わなければ対応するアイコンが表示されないためにその都度面倒な操作を行わなければならないといった事態も生じる。
【０００９】
一方、ナビゲーション装置においては、情報記憶部が、データの圧縮フォーマットの条件にもよるが例えば従来の再生専用光ディスク（CD:Compact Disc）と比較して大量の情報を記録することが可能な大容量記憶特性を有するようになるにしたがって、さらなる多機能化が図られるようになっている。ナビゲーション装置においては、複数のユーザがそれぞれ個別の情報を作成して情報記憶部に記憶し、これら個別情報を取り出して適宜使用することも行われる。
【００１０】
かかるナビゲーション装置においては、例えば自動車を複数の人が使用する場合に、各ユーザの個人情報を第三者に対して秘密保持されるようにする対応の要求が大きい。ナビゲーション装置においては、個人情報の階層レベルが自動車の使用状況によって変化することで、運転を行う都度階層レベルを代表階層とする設定操作を行わなければならず面倒であった。
【００１１】
したがって、本発明は、多機能化に対しても画面上でのコマンド入力の利便性を踏襲するとともに機能切換操作が確実かつ簡易に行い得るようにするナビゲーション装置を提供することを目的に提案されたものである。
【課題を解決するための手段】
【００１２】
上述した目的を達成する本発明にかかるナビゲーション装置は、地図情報を表示する表示器に、画面上においてコマンド入力を可能とするタッチパネル型表示器が用いられる。ナビゲーション装置は、タッチパネル型表示器に入力されるとともに搭載機能を実行させるコマンド情報がそれぞれ選択して割り当てられた手書き符号を登録する記憶部と、ユーザによってタッチパネル型表示器から入力された手書き符号を認識して記憶部に登録された登録符号との比較を行うとともに一致した登録符号を検出すると当該登録符号に割り当てられたコマンド情報に基づいて所定の搭載機能の実行を指示する制御部と、この制御部における入力符号と登録符号との比較結果に基づいて選択された当該搭載機能をユーザに対して音声によって報知する音声出力部とを備える。ナビゲーション装置は、ユーザが、音声報知を確認してタッチパネル型表示器から確認入力を行うことにより、当該搭載機能が実行される。
【００１３】
以上のように構成された本発明にかかるナビゲーション装置によれば、各ユーザが、多くの搭載機能から例えば使用頻度の高い搭載機能を選択してタッチパネル型表示器から入力した手書き符号に対してそれぞれ割り当ることによって、当該搭載機能を実行させるコマンド情報と符号とが記憶部に登録される。ナビゲーション装置によれば、ユーザが、タッチパネル型表示器に所定の手書き符号を書き入れることによって、当該手書き符号に対応した登録符号が検出されて割り付けたコマンド情報に基づいて所定の搭載機能の実行準備が行われる。ナビゲーション装置によれば、手書き符号に対応して実行される搭載機能の内容が音声報知されることで、ユーザによる確認が行われて搭載機能が実行される。
【発明の効果】
【００１４】
本発明にかかるナビゲーション装置によれば、適宜の手書き符号に対して搭載機能を割り当てて登録することから、より多くの搭載機能について実行手順のショートカット化が図られるようになる。ナビゲーション装置によれば、ユーザが、多くの搭載機能から使用頻度の高い搭載機能を簡単な操作によって選択して実行させることが可能となり、使い勝手の向上が図られるとともに安全性を向上させる。ナビゲーション装置によれば、タッチパネル型表示器の画面に必要な地図を充分な領域を確保して表示することから見やすい地図画面を構成することが可能となる。
【発明を実施するための最良の形態】
【００１５】
以下、本発明の実施の形態として示すナビゲーション装置１について、図面を参照して詳細に説明する。ナビゲーション装置１は、図１に示すように、装置本体部２と、タッチパネル型液晶モニタ３とから構成され、装置本体部２が例えば自動車のコンソールボックスに取り付けられるとともに液晶モニタ３がダッシュボード或いは適宜の場所に設置されたクレードルに装着される。ナビゲーション装置１は、後述するように液晶モニタ３の画面から種々の入力操作が行われるが、装置本体部２に設けた操作部或いはリモートコントローラによっても適宜の入力操作が行われる。なお、ナビゲーション装置１は、装置本体部２と液晶モニタ３とが一体型によって構成されるようにしてもよい。
【００１６】
ナビゲーション装置１は、ナビゲーション機能とともに、例えばオーディオ機能やラジオ放送或いはテレビ放送を受信するチューナ機能を有しており、車内に設置したスピーカから音声出力を行って搭乗者が視聴することを可能とする。また、ナビゲーション装置１は、ＬＡＮ（Local Area Network）やＷＡＮ（Wide Area Network）等のネットワークと接続する機能や、ＵＳＢ（Universal Serial Bus）等の有線通信網或いはＢｌｕｅｔｏｏｔｈと称される近距離無線通信網との接続機能を設けてもよい。ナビゲーション装置１は、これらの接続機能を介して例えば携帯型のパーソナルコンピュータや情報端末装置（PDA:Personal Digital Assistant）或いは既設の他の車載装置等と接続されて情報等の相互授受が行われるようになる。ナビゲーション装置１は、例えばメモリーカード、光ディスクやディスクカートリッジ或いは磁気テープカセット等の各種の可搬型外部記録媒体が装填され、これら記憶媒体に記憶された情報を再生操作する機能も有している。
【００１７】
ナビゲーション装置１は、自動車の車体に設置したＧＰＳアンテナによって受信した衛星から送信されるＧＰＳ信号（Ｌ１帯のＣ／Ａコード：corrective action code）が入力される。ナビゲーション装置１は、自動車の適宜の箇所に適宜設置された自立航行センサからのセンサ出力が入力される。自立航行センサは、自動車の走行状況や挙動等を検出するセンサであり、例えばタイヤの回転数を検出する車速センサ、車体の回転角速度を検知する振動ジャイロセンサ、車の加速度を検知する加速度センサ或いは車の振動を検知する振動センサ等が組み合わされて構成される。また、自立航行センサは、例えばパーキングランプやブレーキランプの点灯状態を検出するスイッチや、ステアリング蛇角センサ或いはスロットル開度センサ等を組み合わせて構成される。
【００１８】
ナビゲーション装置１は、図１に示すように装置本体部２内に、装置全体の動作を制御する制御処理部４と、各種の情報を大容量で記憶する記憶部５と、位置情報処理部６と、ドライブ部７と、液晶モニタ３に所定の画像表示を行う画像情報処理部８と、スピーカ１０から所定の音声出力を行う音声情報処理部９等を備えている。なお、ナビゲーション装置１は、図示しないが自動車のバッテリから電源の供給を受けて構成各部へと電源を供給する電源部や、上述した複合機能を実行する例えばテレビ放送やラジオ放送或いは各種の無線ガイド情報を受信するチューナ部、外部機器と接続するためのインタフェース部等も備えている。
【００１９】
制御処理部４は、ＣＰＵ（Central Processing Unit）やＲＯＭ（read-only memory）或いはＲＡＭ（random-access memory）等を備えており、予め定めたプログラムに基づいてナビゲーション装置１の全体動作や構成各部の動作を制御するコントローラ機能や、構成各部から入力された情報信号等の処理機能等を奏する。制御処理部４には、電源部に内蔵された二次電池から供給される電力によって記憶情報がバックアップされるＳＲＡＭ（static random-access memory）やフラッシュメモリ等の情報の書き換えが可能な不揮発性メモリ（non-volatile memory）からなる内部記憶部も備えており、ナビゲーション装置１への電源供給が停止された場合においても記憶した情報等が保持される。
【００２０】
制御処理部４には、ユーザが各操作部により入力操作を行うことによって出力された制御信号が入力され、この制御信号に基づいて所定の処理を行って各部に対して所定の動作等を指示する制御信号を出力する。制御処理部４には、文字認識部が備えられており、後述するように液晶モニタ２側から入力される手書き符号Ａに基づく入力情報を解析して符号認識するとともに記憶部５に記憶したコマンド情報を割り付けた符号との比較を行う。制御処理部４は、この比較結果に基づいて、コマンド情報に基づく所定の処理を実行して各部に対して所定の動作等を指示する制御信号を出力する。
【００２１】
記憶部５は、例えば記憶手段として大容量記憶特性を有するハードディスクを備えており、制御処理部４の動作を制御するプログラム情報やドライブ部７から入力される各種情報或いは後述するように液晶モニタ２側から入力された登録される手書き符号Ａを記憶する。記憶部５は、装置本体２に装填された記録媒体からドライブ部７によって読み出した地図データやガイド情報等のナビゲーション情報を液晶モニタ３に表示するために一時記憶するばかりでなく、ナビゲーション情報を予め記憶しておくようにしてもよい。記憶部５は、この場合に例えばドライブ部７を介して記録媒体からの読み込みを行い、或いは外部配信機関等から提供されたナビゲーション情報をダウンロードして記憶する。なお、記憶部５には、ナビゲーション情報ばかりでなく、ユーザ独自の音楽情報や映画情報等のコンテンツデータ或いはこれらのインデックスデータも記憶される。
【００２２】
ナビゲーション情報５は、例えば道路地図データや地名等の検索データ或いは自動経路計算等に用いられる交通規制情報や受信したＧＰＳ信号に基づく現在位置を地図上に表示する際の道路リンク情報（ＰＯＩ情報；point of interest情報）等の情報からなる。ナビゲーション情報５は、道路地図データとして一般的な平面地図データばかりでなく、鳥瞰地図データやユーザがある特定の場所に関して関連情報として付加したオリジナルのガイド情報等も含まれる。
【００２３】
位置情報処理部６は、ＧＰＳ信号と自立航行センサの出力とに基づいて自車の緯度・経度情報を割り出して自車の現在位置を算出するとともに道路リンク情報との対応処理を行い、算出した現在位置情報を制御処理部４へと出力する。ナビゲーション装置１は、位置情報処理部６から出力された現在位置情報に基づいて制御処理部４からドライブ部７への指示が行われ、記録媒体或いは記憶部５から当該現在位置のナビゲーション情報を読み出させて液晶モニタ３に表示させる。
【００２４】
ドライブ部７は、詳細を省略するが、磁気ヘッド機構や光ピックアップ或いはレーザ装置等を有する再生記録機構が備えられており、制御処理部４の指示に基づいて記録媒体或いは記憶部５から記憶されたナビゲーション情報を読み出して制御処理部４に出力する。また、ドライブ部７は、制御処理部４の指示に基づいて記録媒体或いは記憶部５から記憶された各種のコンテンツを読み出して制御処理部４に出力する。ドライブ部７は、必要に応じて再生されたナビゲーション情報やコンテンツに対してユーザの指示に基づいて関連情報等を付加して記録する。
【００２５】
画像情報処理部８は、制御処理部４から出力されるナビゲーション情報やコンテンツに含まれる画像データに対して所定の信号処理を施し、液晶モニタ３から地図情報や映像の表示が行われるようにする。すなわち、画像情報処理部８は、制御処理部４から出力される上述した各画像情報に基づいて生成した画像イメージデータから画像データを生成して液晶モニタ３に出力する。画像情報処理部８は、表示解像度に応じた画面同期信号等のタイミング信号の生成、複数の画像データの合成或いは表示範囲の制御等の機能も奏する。なお、画像情報処理部８は、表示データを保持するデータ記憶部も保有しているが、このデータ記憶部については例えば制御処理部４の記憶素子にその機能を保有させるようにしてもよい。
【００２６】
音声情報処理部９は、制御処理部４から出力されるナビゲーション情報やコンテンツに含まれる音声・音響データに対して所定の信号処理を施し、スピーカ１０から音声等が出力されるようにする。音声情報処理部９は、制御処理部４から出力される音響データに対してＤ／Ａ（digital/analog）変換、或いは設定されたボリューム値や音質の調整等の適宜の処理を行ってスピーカ２に出力する。音声情報処理部９には、詳細を省略するが音声合成部が備えられており、制御処理部４から出力される指示信号に基づいて適宜の音声メッセージを作成してスピーカ１０から出力するようにする。
【００２７】
液晶モニタ３は、詳細を省略するが、液晶画面１１の前面にタッチパネル１２を配置してなる。タッチパネル１２は、周知のように所定の対向間隔を以って対向する一対の透明電極をマトリックス状に配列してなり、液晶画面１１の任意の箇所を指先等で押圧操作することによって当該箇所の電極間が短絡して座標信号を出力する。液晶モニタ３は、タッチパネル１２を液晶画面１１の全体に配置し、或いは一部の領域に配置する。
【００２８】
液晶モニタ３は、上述したように画像情報処理部８から出力された画像データに基づく画像を液晶画面１１に表示する。液晶モニタ３は、タッチパネル１２を配置した液晶画面１１の領域内に位置するとともに表示される地図画像の読み取りに支障を与えない領域内に複数のアイコンを配列して表示する。各アイコンは、記憶部５に登録されたナビゲーション装置１の基本操作の実行手順をショートカット化するコマンド情報に対応しており、例えば機能モードの切換、メニュー表示、ボリューム調整等が行われるようにする。
【００２９】
液晶モニタ３は、ユーザによって液晶画面１１に表示された所定のアイコンの表示部位が押圧操作されると、タッチパネル１２の当該部位において相対する電極が短絡されることで座標信号を装置本体部２の制御処理部４へと出力する。制御処理部４は、この座標信号に基づいて記憶部５に登録されたコマンド情報の検索を行い、検出したコマンド情報に割り当てられた実行手順にしたがって所定の機能について設定或いは実行の操作を不要として動作が行われるようにする。液晶モニタ３は、液晶画面１１に必要最小限のアイコンのみが表示されるようにし、後述するように手書き符号Ａに基づいた各種の操作が手軽に実行されるようにする。
【００３０】
なお、タッチパネル１２がーについては、上述した構造に限定されるものではなく、例えば液晶画面１１に指先を触れることによってマトリックス状に配列した透明電極間に生じる容量変化を計測して座標信号を得るようにしてもよい。タッチパネル１２は、所定位置の電極間の容量変化量をコントローラによって検出し、座標信号を出力する。
【００３１】
以上のように構成されたナビゲーション装置１においては、電源を投入して通常の使用態様のナビゲーション機能に設定すると、図２に示すように液晶モニタ３の液晶画面１１に現在地の地図画像と自車位置１３とが表示される。ナビゲーション装置１においては、自動車の進行にしたがって自車位置１３を固定として進行方向の地図画像が順次スクロールされて表示される。ナビゲーション装置１においては、図示していないが液晶画面１１の一部に最小限のアイコンが表示されており、例えばスクロール操作用のアイコンをクリック操作することで指定方向に対して地図画像のスクロール動作が行われる。
【００３２】
ナビゲーション装置１においては、この状態でユーザが液晶画面１１上に指先等で一筆書きの符号Ａを書き入れることによって、当該手書き符号Ａに対応して予め記憶部５に登録されたコマンド情報が検出され、このコマンド情報に基づいて所定の機能操作が行われるようにする。ナビゲーション装置１においては、例えばユーザが図３に示すようにポイントａを始点としてポイントｂまで一筆書きで「ｍ」の符号を書き入れることによって、タッチパネル１２から「ｍ」の軌跡に沿った一連の座標信号が制御処理部４へと出力される。
【００３３】
ナビゲーション装置１においては、制御処理部４においてこの手書き符号「ｍ」Ａに対応してメニュー表示の実行手順を指定するコマンド情報の検出が行われる。ナビゲーション装置１においては、制御処理部４において手書き符号Ａに該当するコマンド情報を検出すると、各部に対してメニュー表示の実行指示が行われる。ナビゲーション装置１においては、制御処理部４からの指示に基づいて記憶部５からメニュー表示データが取り出されて画像情報処理部８に供給され、適宜の画像処理が行われて液晶モニタ３に図４に示すように地図画面上に重ねて例えば「行き先」、「場所」、「情報」、「編集・設定」のメニュー表示が行われる。
【００３４】
ナビゲーション装置１においては、制御処理部４において手書き符号Ａに該当するコマンド情報を検出すると、制御処理部４から音声情報処理部９に対して実行すべき機能の内容を報知するガイド情報の作成指示が行われる。ナビゲーション装置１においては、この指示に基づいて音声情報処理部９の音声合成部において、手書き符号「ｍ」の内容をガイドする情報、例えば「メニューを表示します」のガイド情報を合成してスピーカ１０から出力してユーザへの報知が行われる。ユーザは、このスピーカ１０からの報知によって、液晶画面１１をチェックすることなく所望の機能設定が行われたか否かを知ることが可能となる。
【００３５】
ナビゲーション装置１においては、例えば報知された設定機能が所望する機能と異なる場合に、ユーザによって液晶画面１１上で一筆書きの符号Ａによるキャンセル入力が行われる。キャンセル入力は、例えば図５に示すようにポイントｃを始点としてポイントｄまで一筆書きで「ー」の符号を書き入れることによって行われる。ナビゲーション装置１においては、キャンセル入力の受付時間の制限を設定するようにしてもよく、例えば音声報知が行われた後２秒以内等の自動設定が行われる。
【００３６】
ナビゲーション装置１においては、手書き符号Ａが、一筆書きの符号であることが好ましい。一筆書きの手書き符号Ａは、ユーザが液晶画面１１上に手軽に書き入れることが可能であり、また一連の座標信号がタッチパネル１２から出力されることによって制御識別部４においてその識別を容易に行うことが可能である。手書き符号Ａは、液晶画面１１上における入力位置や、個々の始点或いは終点位置に特に制限されるものでは無く、ユーザによって手軽に書き入れられる。手書き符号Ａは、一連の座標信号を有する図形情報として制御識別部４において識別され、記憶部５に登録した近似した一連の座標信号を有するコマンド情報を割り付けた符号との比較が行われるようにする。
【００３７】
ナビゲーション装置１においては、多くの搭載機能についてそれぞれを実行する手順のプログラムを規定することによってショートカット化するコマンド情報が記憶部５に登録されるとともに、これらコマンド情報が符号に対してそれぞれ割り当てられる。ナビゲーション装置１においては、例えば図６に示すような符号とコマンド情報との対応を以って記憶部５に登録される。ナビゲーション装置１は、例えば符号「ａ」に対して音声のオン・オフ切替を実行するコマンド情報が割り付けられ、符号「ｂ」に対して前画面に戻る操作を実行するコマンド情報が割り付けられて登録されている。
【００３８】
ナビゲーション装置１においては、標準仕様として記憶部５に予め上述した符号とコマンド情報との対応テーブルを登録した状態でユーザに提供するようにするが、各ユーザにおいてコマンド情報を適宜選択して新たな手書き符号Ａに割り付けるようにしてもよい。ナビゲーション装置１においては、各ユーザが、例えば液晶モニタ３の液晶画面１１に「手書き符号」登録のメニュー画面を表示させた状態で適宜の手書き符号を書き入れながら搭載機能を選択して登録操作を行う。かかる登録操作は、上述した手順、方法に限定されるものでは無いことは勿論である。
【００３９】
ナビゲーション装置１においては、上述したように複合機能化が図られるとともに記憶部５が大容量記憶特性を有することで、ユーザがナビゲーション機能ばかりでなく例えばオリジナルのアルバム等を作成して記憶部５に記憶して使用することもある。また、ナビゲーション装置１においては、複数のユーザが車を利用する場合に、個々のユーザ毎に例えば使用頻度の高い搭載機能を選択して覚えやすい手書き符号Ａを割り付けるといったことも行われる。
【００４０】
したがって、ナビゲーション装置１においては、上述した手書き符号Ａとコマンド情報との割付・登録操作に際して、各ユーザが手書き符号Ａによる認証情報の登録を行うようにしてもよい。ナビゲーション装置１においては、搭乗時にユーザによって認証情報の識別操作を行うことによって、個別に設定した手書き符号Ａとコマンド情報との対応によるオリジナルのナビゲーション機能が実行されるようになる。また、ナビゲーション装置１においては、認証情報の識別操作によって記憶部５に記憶したオリジナル情報の利用が可能となる。
【００４１】
ナビゲーション装置１においては、上述した手書き符号Ａの登録操作が図７に示した手順によって行われる。ナビゲーション装置１は、手書き符号Ａの登録操作がかかる手順に限定されるものでは無いことは勿論である。登録手順においては、例えば装置本体２の操作部やリモートコントローラ或いは液晶モニタ３の液晶画面１１に表示されたアイコン等によって、符号登録メニューの画面を呼び出して符号登録画面を液晶モニタ３に表示する（ｓ−１）。登録手順においては、この符号登録画面の表示事項に基づいて、例えば登録文字数の設定等の所定条件を設定するための操作を行う（ｓ−２）。なお、登録手順においては、この条件設定操作において、上述した認証情報の登録を行うようにしてもよい。登録手順においては、この条件設定操作において、手書き符号Ａを記号、数字或いは大文字、小文字等の条件を設定するようにしてもよい。
【００４２】
登録手順においては、上述した条件設定が行われることによって、液晶画面１１に搭載機能の一覧が表示される。登録手順においては、この搭載機能の一覧から所定の搭載機能を選択するとともに、当該搭載機能を割り付けるべき手書き符号Ａを液晶モニタ３の液晶画面１１に書き入れて符号入力の処理を行う（ｓ−３）。なお、登録手順においては、書き入れた手書き符号Ａが液晶画面１１にそのまま表示されるようにする。登録手順においては、制御処理部４において手書き符号Ａが記憶部５に既に登録されているか否かの検出を行い、既登録符号である場合にはその旨を報知して上書き或いは変更が行われるようにする。
【００４３】
登録手順においては、手書き符号Ａと割り付ける搭載機能との対応がよければ、登録指示の操作を行う（ｓ−４）。登録手順においては、訂正が必要な場合にはキャンセル操作を行って上述した選択・書き入れ操作が繰り返される。登録手順においては、液晶画面１１の表示領域に応じて同一画面上で、複数の手書き符号Ａの登録操作を行うようにしてもよい。登録手順においては、ユーザによる登録指示の操作が行われると、制御処理部４からの指示に基づいて、記憶部５に手書き符号Ａと、割り付けられたコマンド情報との登録が行われる（ｓ−５）。
【００４４】
なお、登録手順においては、上述した各手順毎に制御処理部４から音声情報処理部９に対してガイド情報の作成指示が行われ、音声合成部により生成されたガイド情報がスピーカ１０から出力されるようにしてもよい。この音声報知は、例えば登録操作の終了時においてのみ例えば「登録を終了しました」といった音声ガイドによって行われるようにしてもよい。登録手順においては、原則として１符号毎に登録を行うようにすることとし、認証情報のように複数文字数を登録する場合には、上述した符号入力処理から符号登録の操作が繰り返される。登録手順においては、ショートカット化を必要とする搭載機能についてそれぞれ手書き符号Ａの割付を終えたなら、終了操作を行う。
【００４５】
ナビゲーション装置１においては、液晶モニタ３の液晶画面１１に適宜の手書き符号Ａを書き入れることによって、図８に示した手順に従って、所定の搭載機能が実行される。ナビゲーション装置１においては、ナビゲーション機能に設定して液晶画面１１に例えば現在位置の表示が行われている状態において、ユーザによって所定の搭載機能を実行するためにタッチパネル１２の押圧操作が行われる（ｓ−６）。ナビゲーション装置１においては、このタッチパネル１２の押圧操作によって座標信号が装置本体２側の制御処理部４に出力されて、座標信号の取得が行われる（ｓ−７）。
【００４６】
ナビゲーション装置１においては、制御処理部４において座標信号の変化が監視されている（ｓ−８）。ナビゲーション装置１においては、ユーザが最初のポイントから指先を動かして符号を書き入れるにしたがって座標信号が次第に変化することで、一連の座標信号に基づいてそのルート計算が行われる（ｓ−９）。ナビゲーション装置１においては、ユーザがタッチパネル１２から指先を離すことにより座標信号の入力が途絶えて手書き符号Ａの入力が終了する。したがって、ナビゲーション装置１においては、座標信号の変化が検出されなかった場合に、ユーザによる符号の書き入れ操作が終了したと判断する（ｓ−１０）。なお、ナビゲーション装置１においては、手書き符号Ａとして一筆書きの手書き符号Ａを用いることを原則とすることから、タッチパネル１２から座標信号が入力されている間において上述した手順が繰り返される。
【００４７】
ナビゲーション装置１においては、制御処理部４において液晶モニタ３側から入力された一連の座標信号に基づいてある符号を特定し、記憶部５に登録された同等の座標情報を有する符号の検索を行う（ｓ−１１）。ナビゲーション装置１においては、記憶部５に登録された符号でほぼ同等の座標情報を有する符号を検出した場合に（ｓ−１２）、当該符号に割り当てられたコマンド情報に基づいて所定の機能を実行するとともに、実行する内容について音声報知を行う（ｓ−１３）。
【００４８】
一方、ナビゲーション装置１においては、手順ｓ−１２で一致する符号の検出が行われなかった場合に、書き入れられた符号が不適或いは登録されていない符号であると判断する。ナビゲーション装置１においては、制御処理部４から音声情報処理部９に対してガイド情報の作成指示が行われ、この指示に基づいて音声情報処理部９の音声合成部において例えば「もう一度入力して下さい」のガイド情報を合成してスピーカ１０から出力することによってユーザに報知する。
【００４９】
なお、ナビゲーション装置１においては、特定のユーザの認証手続きについても同様の手順によって手書き符号を認識して記憶部５に登録された認証符号との比較が行われる。ナビゲーション装置１においては、例えば認証符号の検出を初期画面において行うようにすることによって、手順ｓ−１０に続いて文字数の判断手順や行い、所定の文字数を有する符号について上述した手順ｓ−１１以降の処理が行われるようにする。
【００５０】
ナビゲーション装置１においては、液晶モニタ３の液晶画面１１上に簡単な符号を書き入れることによって目的の機能への切替が行われることから、ユーザが運転中であっても切替操作や画面確認のために視線をそらす時間が大幅に短縮され安全運転が行われるようになる。ナビゲーション装置１においては、各機能の実行をショートカット操作化する便利なアイコンを液晶モニタ３に多数表示することなくほぼ同等に使用することを可能とすることで、地図画像が有効に表示されて使い勝手の向上が図られる。
【００５１】
ナビゲーション装置１においては、上述したようにナビゲーション機能ばかりでなく、オーディオ機能やチューナ機能等の機能も備えられる。したがって、ナビゲーション装置１においては、各機能を使用した場合においても手書き符号を入力することによって特定の動作を実行させるようにしてもよいことは勿論である。
【図面の簡単な説明】
【００５２】
【図１】実施の形態として示すナビゲーション装置の要部構成図である。
【図２】ナビゲーション画面の説明図である。
【図３】メニュー表示を指示する手書き符号を書き入れた状態の説明図である。
【図４】手書き符号に基づいてメニュー画面を表示した状態の説明図である。
【図５】キャンセルを指示する手書き符号を書き入れた状態の説明図である。
【図６】符号とコマンド情報との対応テーブルである。
【図７】手書き符号の登録操作の手順図である。
【図８】手書き符号の入力操作と機能実行の手順図である。
【符号の説明】
【００５３】
１  ナビゲーション装置、２  装置本体、３  液晶モニタ、４  制御処理部、５  記憶部、６  位置情報処理部、７  ドライバ部、８  画像情報処理部、９  音声情報処理部、１０  スピーカ、１１  液晶画面、１２  タッチパネル
【図１】
2005062044.tif 000003
【図２】
2005062044.tif 000004
【図３】
2005062044.tif 000005
【図４】
2005062044.tif 000006
【図５】
2005062044.tif 000007
【図６】
2005062044.tif 000008
【図７】
2005062044.tif 000009
【図８】
2005062044.tif 000010